(57)【要約】【課題】便器本体を所定位置に固定する固定部材を備える便器装置において、防露性能を確保しつつ、連結部材を用いて固定部材に便器本体を確実に固定できる便器装置を提供すること。【解決手段】第１貫通穴２１１を有する外壁部２１、第２貫通穴２２１を有する内壁部２２、及び外壁部２１と内壁部２２との間に形成される中空部２３を有する便器本体２と、便器本体２を所定位置に固定する固定部材６と、第１貫通穴２１１及び第２貫通穴２２１を貫通した状態で便器本体２を固定部材６に固定する締結部材９と、を備える便器装置１であって、第２貫通穴２２１は、締結部材９が貫通して配置された状態において、第２貫通穴２２１の内周面と締結部材９の軸部９２の外周面との間に隙間を有する大きさに形成され、便器装置１は、第２貫通穴２２１を覆うように内壁部２２に配置され締結部材９が貫通して配置される被覆部材８を更に備える。【選択図】図３
2017179856.tif 000002
【特許請求の範囲】
【請求項１】
第１貫通穴を有する外壁部、第２貫通穴を有する内壁部、及び前記外壁部と前記内壁部との間に形成される中空部を有する便器本体と、
前記便器本体を所定位置に固定する固定部材と、
先端部、軸部及び頭部を有する締結部材であって、前記第１貫通穴及び前記第２貫通穴を貫通した状態で前記便器本体を前記固定部材に固定する締結部材と、を備える便器装置であって、
前記第２貫通穴は、前記締結部材が貫通して配置された状態において、該第２貫通穴の内周面と前記締結部材の軸部の外周面との間に隙間を有する大きさに形成され、
前記便器装置は、前記第２貫通穴を覆うように前記内壁部に配置され前記締結部材が貫通して配置される被覆部材を更に備える便器装置。
【請求項２】
前記被覆部材は、前記内壁部の内側の面に配置される請求項１に記載の便器装置。
【請求項３】
前記固定部材は、前記便器本体と床とを固定する請求項１又は２に記載の便器装置。
【請求項４】
請求項１から３のいずれかに記載の便器装置を固定する便器装置の固定方法であって、
貫通穴を有さない前記被覆部材を前記内壁部に配置する配置工程と、
前記配置工程により配置した前記被覆部材に前記締結部材を貫通させて前記便器本体を前記固定部材に固定する固定工程と、を備える便器装置の固定方法。
【発明の詳細な説明】
【技術分野】
【０００１】
本発明は、便器装置及びその固定方法に関する。
【背景技術】
【０００２】
従来、第１貫通穴を有する外壁部、第２貫通穴を有する内壁部、及び外壁部と内壁部との間に形成される中空部を有する便器本体と、便器本体をトイレ室の床（所定位置）に固定する固定部材と、第１貫通穴及び第２貫通穴を貫通した状態で便器本体を固定部材に固定するねじ部材と、を備える便器装置が知られている（例えば、特許文献１参照）。
特許文献１に記載の便器装置は、外壁部の外側から、ねじ部材を、外壁部の第１貫通穴、中空部、及び内壁部の第２貫通穴の順に貫通させて、ねじ部材の頭部を第１貫通穴の周縁の外壁部に係止させた状態で、ねじ部材の先端部を固定部材に差し込んでねじ込むことで、便器本体を固定部材に固定している。
【０００３】
特許文献１に記載の便器装置において、第２貫通穴がねじ部材の軸部の径よりも大きい場合に、第２貫通穴とねじ部材との隙間から、中空部に存在する空気が、便器本体の内部に流れ込んで、便器本体の内部が結露する虞がある。そのため、特許文献１に記載の便器装置では、中空部に存在する空気が便器本体の内部に流れ込んで便器本体の内部が結露しないように、内壁部の第２貫通穴を、ねじ部材の軸部の径と同程度の大きさになるように極力小さく形成している。
【先行技術文献】
【特許文献】
【０００４】
【特許文献１】特開２０１４−０９５２０５号公報
【発明の概要】
【発明が解決しようとする課題】
【０００５】
便器装置において、便器本体の内部が結露しないような防露性能を確保する必要がある。一方、第２貫通穴をねじ部材の軸部の径と同程度の大きさに形成した場合に、製造上のバラツキにより第１貫通穴や第２貫通穴の位置がずれて配置されると、第１貫通穴及び第２貫通穴にねじ部材を貫通させた状態において、ねじ部材が傾いてしまい、ねじ部材の先端部を固定部材のねじ穴にしっかりと差し込むことができない場合があった。
そのため、便器本体を所定位置に固定する固定部材を備える便器装置において、防露性能を確保しつつ、ねじ部材（連結部材）を用いて固定部材に便器本体を確実に固定できる便器装置が望まれる。
【０００６】
本発明は、便器本体を所定位置に固定する固定部材を備える便器装置において、防露性能を確保しつつ、連結部材を用いて固定部材に便器本体を確実に固定できる便器装置を提供することを目的とする。
【課題を解決するための手段】
【０００７】
本発明は、第１貫通穴（例えば、後述の第１貫通穴２１１）を有する外壁部（例えば、後述の外壁部２１）、第２貫通穴（例えば、後述の第２貫通穴２２１）を有する内壁部（例えば、後述の内壁部２２）、及び前記外壁部と前記内壁部との間に形成される中空部（例えば、後述の中空部２３）を有する便器本体（例えば、後述の便器本体２）と、前記便器本体を所定位置に固定する固定部材（例えば、後述の固定部材６）と、先端部（例えば、後述の先端部９１）、軸部（例えば、後述の軸部９２）及び頭部（例えば、後述の頭部９３）を有する締結部材（例えば、後述の便器本体固定用ねじ部材９）であって、前記第１貫通穴及び前記第２貫通穴を貫通した状態で前記便器本体を前記固定部材に固定する締結部材と、を備える便器装置（例えば、後述の便器装置１）であって、前記第２貫通穴は、前記締結部材が貫通して配置された状態において、該第２貫通穴の内周面と前記締結部材の軸部の外周面との間に隙間を有する大きさに形成され、前記便器装置は、前記第２貫通穴を覆うように前記内壁部に配置され前記締結部材が貫通して配置される被覆部材（例えば、後述の被覆部材８）を更に備える便器装置に関する。
【０００８】
また、前記被覆部材は、前記内壁部の内側の面に配置されることが好ましい。
【０００９】
また、前記固定部材は、前記便器本体と床（例えば、後述の床１１）とを固定することが好ましい。
【００１０】
また、本発明は、前記便器装置を固定する便器装置の固定方法であって、貫通穴を有さない前記被覆部材を前記内壁部に配置する配置工程と、前記配置工程により配置した前記被覆部材に前記締結部材を貫通させて前記便器本体を前記固定部材に固定する固定工程と、を備える便器装置の固定方法に関する。
【発明の効果】
【００１１】
本発明によれば、便器本体を所定位置に固定する固定部材を備える便器装置において、防露性能を確保しつつ、連結部材を用いて固定部材に便器本体を確実に固定できる便器装置を提供することができる。
【図面の簡単な説明】
【００１２】
【図１】本発明の一実施形態に係る便器装置１を示す斜視図である。
【図２】図１のＡ−Ａ線断面斜視図である。
【図３】図１のＡ−Ａ線断面図である。
【図４】便器本体と固定部材との固定状態を示す分解断面斜視図である。
【発明を実施するための形態】
【００１３】
以下、本発明の便器装置１の一実施形態について、図面を参照しながら説明する。なお、以下の説明においては、便器装置１の便座（図示せず）に座った人から視た場合の前後の向きを前後方向とする。また、便器装置１の便座（図示せず）に座った人から視た場合の左右の向きを左右方向とする。また、鉛直方向に沿った上下の向きを上下方向とする。
【００１４】
本実施形態の便器装置１は、図１及び図２に示すように、便器本体２と、便座（図示せず）と、便蓋３と、機能部４と、便器固定構造５と、を備える。便座（図示せず）及び便蓋３は、便器本体２の上方において、便器本体２に対して回動可能に取り付けられる。
【００１５】
便器本体２は、全周が衛生陶器で形成され、周方向において衛生陶器で囲われる。便器本体２は、図２に示すように、衛生陶器で形成された外壁部２１と、衛生陶器で形成された内壁部２２と、外壁部２１と内壁部２２との間に形成される中空部２３と、を有する。外壁部２１及び内壁部２２は、中空部２３を挟んで、互いが対向した状態で、便器本体２の外周に沿って形成されている。外壁部２１及び内壁部２２は、適宜箇所において、互いが接続されている。
【００１６】
なお、図２〜図４において、便器本体２の断面形状を示すことで、外壁部２１、内壁部２２及び中空部２３を説明している。ただし、外壁部２１、内壁部２２及び中空部２３は途中で切断されているのではなく、外壁部２１及び内壁部２２は、便器本体２の外周に沿って延びて形成されており、互いが接続されている。中空部２３は、外壁部２１及び内壁部２２の間の空間であり、余計な空気の流れが生じないように、外壁部２１及び内壁部２２には穴などを極力設けず、また、余計な空気の流れが生じないように、閉止部材等が適宜箇所に配置されている。
【００１７】
便器本体２の外壁部２１は、図２に示すように、便器本体２の左右方向の両側における後方側において、第１貫通穴２１１を有する。便器本体２の内壁部２２は、便器本体２の左右方向の両側における後方側において、第２貫通穴２２１を有する。便器本体２の第１貫通穴２１１及び第２貫通穴２２１は、後述する便器固定構造５の一部を構成する。
便器本体２は、便器本体２の左右方向の両側における後方側において、図２に示すように、便器固定構造５により、トイレ室の床１１に固定されている。
【００１８】
機能部４は、図１に示すように、便器本体２の後部の上部に配置される。機能部４は、機能部材（図示せず）と、機能部材を覆うカバー部材４１と、を有する。機能部材としては、例えば、図示を省略するが、ホースや、洗浄ノズルや、電源ユニットや、制御回路基板や、便座（図示せず）及び便蓋３を電動で開閉させる電動開閉ユニットや、バルブユニットや、各種配管等が挙げられる。
【００１９】
便器固定構造５について説明する。便器固定構造５は、図１に示すように、便器本体２の後方側に設けられる。便器固定構造５は、便器本体２の左右方向の両側に離間して一対設けられる。なお、本実施形態では、便器固定構造５は便器本体２の左右に対称な構造であるため、便器本体２の左右方向の一方についてのみ説明する。
【００２０】
便器固定構造５は、図２〜図４に示すように、固定部材６と、固定部材固定用ねじ部材７と、被覆部材８と、締結部材としての便器本体固定用ねじ部材９と、便器本体２の外壁部２１に形成される第１貫通穴２１１と、便器本体２の内壁部２２に形成される第２貫通穴２２１と、を備える。
【００２１】
固定部材６は、便器本体２をトイレ室の床１１（所定位置）に固定する。固定部材６は、トイレ室の床１１に固定される。固定部材６には、便器本体固定用ねじ部材９を使用して、便器本体２が固定される。固定部材６は、略Ｌ字状に屈曲する板部材により形成される。固定部材６は、床側板部材６１と、便器側板部材６２と、を有する。
【００２２】
床側板部材６１は、図２及び図３に示すように、トイレ室の床１１に沿った板状に形成される。床側板部材６１は、床取付用貫通穴６１１を有する。床取付用貫通穴６１１は、床側板部材６１を厚さ方向に貫通して設けられる。床側板部材６１は、床取付用貫通穴６１１に固定部材固定用ねじ部材７を挿入されて、床１１に固定される。
【００２３】
便器側板部材６２は、床側板部材６１の一端部に接続され、床側板部材６１の一端部から、便器本体２の内壁部２２の内側の面に沿った傾斜角度で立ち上がる板状に形成される。便器側板部材６２は、複数の差し穴６２１を有する。
【００２４】
複数の差し穴６２１は、便器側板部材６２を厚さ方向に貫通して設けられる。複数の差し穴６２１は、便器本体固定用ねじ部材９が傾いて配置されても、便器本体固定用ねじ部材９の先端部９１が、複数のうちのいずれかの差し穴６２１に差し込まれるように、複数設けられている。複数の差し穴６２１のうちの一つには、便器本体固定用ねじ部材９の先端部９１が差し込まれて、ねじ込まれる。差し穴６２１を複数備えることで、便器本体固定用ねじ部材９を容易に固定部材６にねじ込むことができる。
【００２５】
第１貫通穴２１１は、便器本体２の左右方向の両側における後方側において、便器本体２の外壁部２１を左右方向に貫通して形成される。第２貫通穴２２１は、便器本体２の左右方向の両側における後方側において、便器本体２の内壁部２２を左右方向に貫通して形成される。
第１貫通穴２１１及び第２貫通穴２２１には、便器本体固定用ねじ部材９が貫通して配置される。
【００２６】
便器本体固定用ねじ部材９は、第１貫通穴２１１及び第２貫通穴２２１を貫通した状態で、便器本体２を固定部材６に固定する。便器本体固定用ねじ部材９は、図３及び図４に示すように、先端部９１と、軸部９２と、頭部９３と、を有する。先端部９１は、先端側が尖って形成され、尖った部分の後部にねじ溝（図示せず）が設けれており、後述する被覆部材８を貫通すると共に後述する固定部材６に差し込まれてねじ込まれる。軸部９２は、直線状に形成され、第１貫通穴２１１及び第２貫通穴２２１を貫通する。頭部９３は、第１貫通穴２１１の径よりも大きな径で形成され、外壁部２１の外側における第１貫通穴２１１の周縁に係止される。便器本体固定用ねじ部材９は、便器本体２の外壁部２１の外側から、第１貫通穴２１１、中空部２３、第２貫通穴２２１、後述する被覆部材８の順に貫通され、頭部９３が第１貫通穴２１１の周縁の外壁部２１に係止された状態で、先端部９１が固定部材６に差し込まれて、ねじ込まれる。
【００２７】
第１貫通穴２１１は、便器本体固定用ねじ部材９が貫通して配置された状態において、第１貫通穴２１１の内周面と便器本体固定用ねじ部材９の軸部９２の外周面との間にほぼ隙間がない大きさに形成される。つまり、第１貫通穴２１１は、便器本体固定用ねじ部材９の軸部９２とほぼ同じ径の大きさに形成される。これにより、第１貫通穴２１１に便器本体固定用ねじ部材９が貫通して配置された状態においては、外壁部２１の外部と中空部２３との空気の流通は規制される。
【００２８】
第２貫通穴２２１は、第１貫通穴２１１よりも大きい径の大きさに形成される。第２貫通穴２２１は、便器本体固定用ねじ部材９が貫通して配置された状態において、第２貫通穴２２１の内周面と便器本体固定用ねじ部材９の軸部９２の外周面との間に隙間を有する大きさに形成される。
【００２９】
被覆部材８は、第２貫通穴２２１を覆うように内壁部２２の内側の面に配置される。被覆部材８は、第２貫通穴２２１を覆った状態で、内壁部２２の内側の面における第２貫通穴２２１の周縁に貼り付けられている。被覆部材８には、便器本体固定用ねじ部材９が貫通して配置される。本実施形態では、被覆部材８は、第２貫通穴２２１を覆った状態で内壁部２２の内側の面における第２貫通穴２２１の周縁に貼り付けた状態において、便器本体固定用ねじ部材９の先端部９１に突き刺されて貫通する。便器本体固定用ねじ部材９が被覆部材８に貫通された状態においては、中空部２３と内壁部２２の内部との空気の流通は規制される。被覆部材８は、便器本体固定用ねじ部材９を貫通させることが可能な部材で、かつ、第２貫通穴２２１における空気の流通を規制する部材で構成される。
【００３０】
なお、被覆部材８は、便器本体固定用ねじ部材９の先端部９１が容易に貫通可能な部材であることが好ましい。また、被覆部材８は、第２貫通穴２２１における空気の流通をある程度規制すればよく、空気の流れを完全に遮断しなくてもよい。本実施形態においては、被覆部材８は、例えば、シート状のスポンジ状の部材で構成される。
【００３１】
次に、便器固定構造５を用いて、便器本体２をトイレ室の床１１に固定する方法について説明する。
まず、図４に示すように、便器本体２の内壁部２２の第２貫通穴２２１を覆うように、便器本体２の内壁部２２の内側の面における第２貫通穴２２１の周縁に、貫通穴を有さない被覆部材８を貼り付けて配置する（配置工程）。
次に、固定部材６を固定部材固定用ねじ部材７によりトイレ室の床１１に固定する。
そして、第２貫通穴２２１を被覆部材８で被覆した便器本体２を、便器本体２の内壁部２２の内側に貼り付けた被覆部材８が固定部材６の便器側板部材６２に対向するように、固定部材６の外側に配置する。
【００３２】
この状態で、便器本体固定用ねじ部材９の先端部９１側を、外壁部２１の外側から、外壁部２１の第１貫通穴２１１に挿入して、外壁部２１の第１貫通穴２１１、中空部２３、第２貫通穴２２１の順に貫通させて、被覆部材８に便器本体固定用ねじ部材９の先端部９１を突き刺して貫通させる。これにより、便器本体２の内壁部２２に配置した被覆部材８に、便器本体固定用ねじ部材９を貫通させて、便器本体２を固定部材６に固定する（固定工程）。このように、被覆部材８は、便器本体２を固定部材６に固定する前には貫通穴は形成されておらず、便器本体２を固定部材６に固定するときに便器本体固定用ねじ部材９により貫通される。その後、便器本体固定用ねじ部材９の頭部９３を外壁部２１の外側における第１貫通穴２１１の周縁に係止させた状態で、便器本体固定用ねじ部材９の先端部９１を固定部材６の差し穴６２１に差し込んでねじ込むことで、便器本体２を固定部材６に固定する。
これにより、便器固定構造５により便器本体２をトイレ室の床１１に固定することができる。
【００３３】
以上説明した本実施形態の便器装置１によれば、以下のような効果を奏する。
本実施形態の便器装置１は、第１貫通穴２１１を有する外壁部２１、第２貫通穴２２１を有する内壁部２２、及び外壁部２１と内壁部２２との間に形成される中空部２３を有する便器本体２と、便器本体２を所定位置に固定する固定部材６と、先端部９１、軸部９２及び頭部９３を有する便器本体固定用ねじ部材９であって、第１貫通穴２１１及び第２貫通穴２２１を貫通した状態で便器本体２を固定部材６に固定する便器本体固定用ねじ部材９と、を備える便器装置１であって、第２貫通穴２２１は、便器本体固定用ねじ部材９が貫通して配置された状態において、第２貫通穴２２１の内周面と便器本体固定用ねじ部材９の軸部９２の外周面との間に隙間を有する大きさに形成され、便器装置１は、第２貫通穴２２１を覆うように内壁部２２に配置され便器本体固定用ねじ部材９が貫通して配置される被覆部材８を更に備える。
そのため、例えば、便器本体２の製造上のバラツキにより第１貫通穴２１１や第２貫通穴２２１の位置が仮にずれたとしても、便器本体固定用ねじ部材９を第１貫通穴２１１に貫通させた状態で第２貫通穴２２１を貫通させると共に被覆部材８に突き刺すことで、便器本体２を固定部材６に容易に固定できる。これにより、便器本体固定用ねじ部材９を用いて、便器本体２を固定部材６に確実に固定することができる。また、第２貫通穴２２１は被覆部材８で覆われるため、中空部２３から便器本体２の内部への空気の流通が規制されて、防露性能を確保できる。
【００３４】
また、本実施形態の便器装置１においては、被覆部材８は、内壁部２２の内側の面に配置される。これにより、便器本体２に対して、内壁部２２の内側から、被覆部材８を容易に取り付けることが可能である。
【００３５】
また、本実施形態の便器装置１においては、固定部材６は、便器本体２と床１１とを固定する。これにより、固定部材６を用いて、便器本体２を床１１に容易に固定できる。
【００３６】
また、本実施形態の便器装置１の固定方法においては、貫通穴を有さない被覆部材８を内壁部２２に配置する配置工程と、配置工程により配置した被覆部材８に便器本体固定用ねじ部材９を貫通させて便器本体２を固定部材６に固定する固定工程と、を備える。そのため、被覆部材８は、便器本体２を固定部材６に固定する前には貫通穴は形成されておらず、便器本体２を固定部材６に固定するときに便器本体固定用ねじ部材９により貫通される。これにより、被覆部材８の貫通穴の大きさを、便器本体固定用ねじ部材９の軸部９２の径の分だけの大きさとすることができる。よって、被覆部材８と便器本体固定用ねじ部材９の軸部９２との間に隙間が無い状態で便器本体固定用ねじ部材９を被覆部材８に貫通できるため、被覆部材８における防露性能をより確保できる。
【００３７】
以上、本発明の便器装置１の好ましい実施形態について説明したが、本発明は、上述した実施形態に制限されるものではなく、適宜変更が可能である。
例えば、前記実施形態では、締結部材を、便器本体固定用ねじ部材９としてねじ溝を有するねじ部材により構成したが、これに限定されない。例えば、締結部材を、先端部にねじ溝を有さない釘などで構成してもよい。
【００３８】
また、前記実施形態では、固定部材６をトイレ室の床１１に固定するように構成したが、これに限定されない。固定部材６を、壁に固定するように構成してもよい。
【００３９】
また、前記実施形態では、固定部材６をトイレ室の床１１に直接固定するように構成したが、これに限定されない。例えば、固定部材６を他の部材（例えば、便器本体の下方に配置されるタンクなど）に固定してもよいし、固定部材６を他の部材（例えば、便器本体の下方に配置されるタンクなど）を介してトイレ室の床１１に固定してもよいし、固定部材を他の部材（例えば、便器本体の下方に配置されるタンクなど）により構成して、他の部材をトイレ室の床１１に固定するように構成してもよい。
【符号の説明】
【００４０】
１  便器装置
２  便器本体
６  固定部材
８  被覆部材
９  便器本体固定用ねじ部材（締結部材）
１１  床
２１  外壁部
２２  内壁部
２３  中空部
９１  先端部
９２  軸部
９３  頭部
２１１  第１貫通穴
２２１  第２貫通穴
【図１】
2017179856.tif 000003
【図２】
2017179856.tif 000004
【図３】
2017179856.tif 000005
【図４】
2017179856.tif 000006